(57)【特許請求の範囲】
【請求項１】
外槽内に回転可能に設けた内槽と、
前記内槽を回転駆動するモータと、
前記外槽内に洗濯水を給水する給水手段と、
前記外槽内の洗濯水を排水する排水経路に設けた排水手段と、
前記排水経路に設けた排水フィルターと、
前記外槽に設けた乾燥用空気の給気口および排気口に連通接続した風路と、
前記風路に設けた加熱手段と、
前記風路を通して前記内槽内に送風する送風手段と、
前記外槽内に外気を取り入れる外気導入部と、
一端が前記排水フィルターの下流側、かつ、前記排水手段の上流側で前記排水経路から分岐し、他端が前記外槽外に開放された開放部を有する放出路と、
洗い、すすぎ、脱水、乾燥の各工程を逐次制御し、運転設定に応じて前記脱水工程後または前記乾燥工程後に前記排水フィルターを乾燥させる排水フィルター乾燥工程を実行する制御手段とを備え、
前記制御手段は、前記排水フィルター乾燥工程において、
前記送風手段を駆動し、前記外気導入部から前記外槽内に導入した外気を、前記排水フィルターを通過し前記放出路を通って前記開放部から放出可能に構成した
洗濯乾燥機。
【請求項２】
前記排水フィルターは、
前記開放部に向かって前記排水経路を通過する空気が前記排水フィルターの捕集面に沿って流れるように構成した
請求項１記載の洗濯乾燥機。
【請求項３】
前記加熱手段をヒータで構成し、
前記排水フィルターを乾燥させる排水フィルター乾燥工程において、
前記加熱手段を作動させ、前記排水フィルターに温風を送風するようにした
請求項１または２記載の洗濯乾燥機。
【請求項４】
前記加熱手段をヒートポンプ装置の凝縮器で構成し、
前記排水フィルターを乾燥させる排水フィルター乾燥工程において、
前記加熱手段を作動させ、前記排水フィルターに温風を送風するようにした
請求項１または２記載の洗濯乾燥機。
【請求項５】
外槽内の底部に洗濯水を加熱する温水用ヒータを設け、
前記排水フィルターを乾燥させる排水フィルター乾燥工程において、
前記温水用ヒータに通電し、前記排水フィルターに温風を送風するようにした
請求項１または２記載の洗濯乾燥機。
【請求項６】
前記制御手段は、
前記排水フィルターを乾燥させる排水フィルター乾燥工程において、
前記送風手段により送風する風量を、前記乾燥工程時の風量より少なくなるようにした
請求項１〜５のいずれか１項に記載の洗濯乾燥機。
【請求項７】
前記制御手段は、
前記脱水工程後に前記排水フィルター乾燥工程を実行するようにした
請求項１〜６のいずれか１項に記載の洗濯乾燥機。
【請求項８】
前記制御手段は、
前記乾燥工程後に前記排水フィルター乾燥工程を実行するようにした
請求項１〜６のいずれか１項に記載の洗濯乾燥機。
【請求項９】
前記内槽内の洗濯物の取り出しを検知する扉開閉検知手段を設け、
前記制御手段は、
前記扉開閉検知手段により洗濯物が取り出されたことを検知してから前記排水フィルター乾燥工程を実行するようにした
請求項１〜８のいずれか１項に記載の洗濯乾燥機。
【発明の詳細な説明】
【技術分野】
【０００１】
本発明は、衣類等の洗濯と乾燥が行える洗濯乾燥機に関するものである。
【背景技術】
【０００２】
従来、この種の洗濯乾燥機は、洗濯時において、排水に含まれる洗濯物から発生したリントや異物等を捕集するフィルター装置が排水経路に設けられるのが一般的である（例えば、特許文献１参照）。前記特許文献１に記載された洗濯機において、洗濯に使用された洗濯水、および、脱水工程で洗濯物から分離した水分は、水槽の下方に設けられた排水経路を通して機外へ排出され、排水経路に設けられたフィルター装置を通過する。洗濯が終わった後も、排水経路およびフィルター装置に捕集されたリントは濡れた状態である。
【０００３】
また、洗濯から乾燥までを続けて行うことができる乾燥機能を具備した洗濯機、所謂洗濯乾燥機も一般的である（例えば、特許文献２参照）。前記特許文献２に記載された洗濯乾燥機において、温風循環乾燥工程では、内槽内の空気が送風路を通って内槽内の洗濯物の乾燥を進行させながら循環するため、乾燥用空気は排水経路には流れず、排水経路は運転終了後も濡れた状態である。
【０００４】
また、吸気乾燥工程では、開かれた吸気弁から送風部に吸い込まれた空気は、洗濯物から水分を奪って排水路を通り、排水トラップの水封じを破って排出される。このとき、排水路を通過する空気は、洗濯物から水分を奪った湿った空気であり、洗濯物の乾燥の進行にともなって乾いた空気が排水路を流れる。吸気乾燥工程の最終段階においては、排水路を経由して排水トラップに水を供給し、水封じを回復させるようにしており、排水路は水で濡れた状態で運転を終了する。運転終了後は、吸気弁を開いた状態にして外槽および送風路内を換気し、カビの発生を防ぐようにしている。
【０００５】
また、乾燥機能を具備した洗濯機において、排水路に除湿部を設けることが考えられている（例えば、特許文献３参照）。前記特許文献３に記載された洗濯機において、衣類乾燥時は、衣類乾燥用熱風を排水路の排水制御弁および排水フィルターを通して除湿部へ導入し、同熱風を水冷にて除湿した後、乾燥手段に戻して循環させる。除湿部には所定量の排水が貯蔵され、この除湿部を通過する衣類乾燥用熱風が貯蔵された排水で冷却されて除湿されるようにしたものである。
【先行技術文献】
【特許文献】
【０００６】
【特許文献１】特開２０１０−１３６７４０号公報
【特許文献２】特開２０１０−２４６７０９号公報
【特許文献３】実開平２−７１４８３号公報
【発明の概要】
【発明が解決しようとする課題】
【０００７】
しかしながら、前記特許文献１、２に記載された従来の構成では、洗濯が終わった後も、排水経路および排水経路に設けられた排水フィルターは濡れた状態であるため、このような状態で放置されると、雑菌等の繁殖により異臭が発生するという問題があった。
【０００８】
また、前記特許文献３に記載された従来の構成では、排水路に設けた除湿部に排水が貯蔵されるため、洗濯が終わった後も濡れた状態である。そして、洗濯後、除湿部に排水の一部を貯蔵した状態で衣類乾燥工程へ移行し、排水口から除湿部に送風される衣類乾燥用熱風は、リントを捕集した排水フィルターを通過する。リントは洗濯水の排水で濡れた状態であるため、通風抵抗が大きく圧損によって必要かつ十分な風量を確保することが難しく、良好な乾燥性能を実現することが難しいという問題があった。
【０００９】
本発明は、前記従来の課題を解決するもので、運転終了後、排水フィルターを乾いた状態にして、不快臭の発生を抑制するようにした洗濯乾燥機を提供することを目的とする。
【課題を解決するための手段】
【００１０】
前記従来の課題を解決するために、本発明の洗濯乾燥機は、外槽内に回転可能に設けた内槽と、前記内槽を回転駆動するモータと、前記外槽内に洗濯水を給水する給水手段と、前記外槽内の洗濯水を排水する排水経路に設けた排水手段と、前記排水経路に設けた排水フィルターと、前記外槽に設けた乾燥用空気の給気口および排気口に連通接続した風路と、前記風路に設けた加熱手段と、前記風路を通して前記内槽内に送風する送風手段と、前記外槽内に外気を取り入れる外気導入部と、前記排水フィルターの下流側で前記排水経路から分岐して設けた開放部と、洗い、すすぎ、脱水、乾燥の各工程を逐次制御する制御手段とを備え、前記制御手段は、前記排水フィルターを乾燥させる排水フィルター乾燥工程において、前記送風手段を駆動し、前記外気導入部から前記外槽内に導入した外気を前記開放部から放出可能に構成したものである。
【００１１】
これによって、洗濯または乾燥運転終了後、排水フィルター乾燥工程を実行することにより、洗濯水の排水等で濡れた排水フィルターを乾いた状態にすることができ、不快臭の発生を抑制することができる。
【発明の効果】
【００１２】
本発明の洗濯乾燥機は、運転終了後、排水フィルターを乾いた状態にすることができ、不快臭の発生を抑制することができる。
【図面の簡単な説明】
【００１３】
【図１】本発明の実施の形態１における洗濯乾燥機の概略構成図
【図２】同洗濯乾燥機の排水フィルター乾燥時の概略構成図
【図３】同洗濯乾燥機のブロック構成図
【図４】同洗濯乾燥機の動作を示すタイムチャート
【図５】本発明の実施の形態２における洗濯乾燥機の要部拡大図
【図６】本発明の実施の形態３における洗濯乾燥機の概略構成図
【図７】同洗濯乾燥機の排水フィルター乾燥時の概略構成図
【図８】本発明の実施の形態４における洗濯乾燥機の概略構成図
【発明を実施するための形態】
【００１４】
第１の発明は、外槽内に回転可能に設けた内槽と、前記内槽を回転駆動するモータと、前記外槽内に洗濯水を給水する給水手段と、前記外槽内の洗濯水を排水する排水経路に設けた排水手段と、前記排水経路に設けた排水フィルターと、前記外槽に設けた乾燥用空気の給気口および排気口に連通接続した風路と、前記風路に設けた加熱手段と、前記風路を通して前記内槽内に送風する送風手段と、前記外槽内に外気を取り入れる外気導入部と、一端が前記排水フィルターの下流側、かつ、前記排水手段の上流側で前記排水経路から分岐し、他端が前記外槽外に開放された開放部を有する放出路と、洗い、すすぎ、脱水、乾燥の各工程を逐次制御し、運転設定に応じて前記脱水工程後または前記乾燥工程後に前記排水フィルターを乾燥させる排水フィルター乾燥工程を実行する制御手段とを備え、前記制御手段は、前記排水フィルター乾燥工程において、前記送風手段を駆動し、前記外気導入部から前記外槽内に導入した外気を、前記排水フィルターを通過し前記放出路を通って前記開放部から放出可能に構成したことにより、洗濯または乾燥運転終了後、洗濯水の排水等で濡れた排水フィルターを乾いた状態にすることができ、不快臭の発生を抑制することができる。
【００１５】
第２の発明は、特に、第１の発明において、前記排水フィルターは、前記開放部に向かって前記排水経路を通過する空気が前記排水フィルターの捕集面に沿って流れるように構成したことにより、排水経路を通過する空気が排水フィルターの捕集面を横切ることなく開放部から放出させることができ、捕集面にリントが捕集された状態でも通風抵抗が増加することなく、風量を確保することができる。
【００１６】
第３の発明は、特に、第１または第２の発明において、前記加熱手段をヒータで構成し、前記排水フィルターを乾燥させる排水フィルター乾燥工程において、前記加熱手段を作動させ、前記排水フィルターに温風を送風するようにしたことにより、衣類乾燥時の温風をヒータで生成する洗濯乾燥機において、排水フィルターの乾燥に新たな加熱手段を設けることなく、簡略な構成で排水フィルターを効果的に乾燥させることができる。
【００１７】
第４の発明は、特に、第１または第２の発明において、前記加熱手段をヒートポンプ装置の凝縮器で構成し、前記排水フィルターを乾燥させる排水フィルター乾燥工程において、前記加熱手段を作動させ、前記排水フィルターに温風を送風するようにしたことにより、ヒートポンプ装置を具備した洗濯乾燥機において、排水フィルターの乾燥に新たな加熱手段を設けることなく、排水フィルターを効果的に乾燥させることができる。
【００１８】
第５の発明は、特に、第１または第２の発明において、外槽内の底部に洗濯水を加熱する温水用ヒータを設け、前記排水フィルターを乾燥させる排水フィルター乾燥工程において、前記温水用ヒータに通電し、前記排水フィルターに温風を送風するようにしたことにより、温水用ヒータを具備した洗濯乾燥機において、排水フィルターの乾燥に新たな加熱手段を設けることなく、排水フィルターを効果的に乾燥させることができるとともに、排水口の近傍に配設された温水用ヒータにより加熱した温風によって効率よく乾燥させることができる。
【００１９】
第６の発明は、特に、第１〜第５のいずれか１つの発明において、前記制御手段は、前記排水フィルターを乾燥させる排水フィルター乾燥工程において、前記送風手段により送風する風量を、前記乾燥工程時の風量より少なくなるようにしたことにより、少ない電力消費量で排水フィルターを乾燥させることができる。
【００２０】
第７の発明は、特に、第１〜第６のいずれか１つの発明において、前記制御手段は、前記脱水工程後に前記排水フィルター乾燥工程を実行するようにしたことにより、脱水工程では、洗濯物から分離した水分が内槽および外槽から排水経路を通して機外へ排出される。洗濯物の脱水の進行にともなって水は排水経路を流れなくなり、排水フィルターを効率よく乾燥させることができるとともに、乾燥工程を実行せずに運転を終了した場合においても、内槽、外槽および排水フィルターを乾いた状態にすることができる。
【００２１】
第８の発明は、特に、第１〜第６のいずれか１つの発明において、前記制御手段は、前記乾燥工程後に前記排水フィルター乾燥工程を実行するようにしたことにより、乾燥工程で温められた外槽および内槽の余熱によって排水フィルターを効率よく乾燥させることができる。
【００２２】
第９の発明は、特に、第１〜第８のいずれか１つの発明において、前記内槽内の洗濯物の取り出しを検知する扉開閉検知手段を設け、前記制御手段は、前記扉開閉検知手段により洗濯物が取り出されたことを検知してから前記排水フィルター乾燥工程を実行するようにしたことにより、脱水工程または乾燥工程の終了後、内槽内の洗濯物が取り出された後に、排水フィルター乾燥工程が実行されるようにすることができ、排水フィルターが濡れた状態で放置される時間を短くして迅速に乾燥させることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における洗濯乾燥機の概略構成図、図２は、同洗濯乾燥機の排水フィルター乾燥時の概略構成図、図３は、同洗濯乾燥機のブロック構成図、図４は、同洗濯乾燥機の動作を示すタイムチャートである。
【００２５】
図１〜図４において、筐体１内に弾性支持した有底円筒状の外槽２が設けられている。外槽２内には有底円筒状のドラム（内槽）３が回転可能に設けられ、ドラム３の回転軸３ａは角度θ（例えば、５〜２０度）で前上がりに傾斜している。
【００２６】
ドラム３の内周側面には、回転軸３ａ方向であるドラム３の回転中心に向かって内方へ突出させた複数のバッフル４と、外槽２内と連通する多数の小孔５が設けられ、前面側には、衣類等の洗濯物（以下、洗濯物という）を出し入れする投入口６が設けられている。ドラム３の前面側には、ドラム３が回転する際に洗濯物の偏り等によって発生する振動を低減するためのバランサ７を設け、投入口６を取り囲むように環状に形成している。
【００２７】
外槽２の後面にドラム３を回転駆動するモータ８が取り付けられている。モータ８は、ブラシレス直流モータで構成され、インバータ制御によって回転速度が自在に変化させることができるようになっている。
【００２８】
外槽２内に洗濯水を給水する給水弁（給水手段）９は、水道等に接続された給水配管１０に設けられている。洗濯水は、給水配管１０から洗剤を投入する洗剤ケース１１に流入して洗剤を溶かし、給水路１２を経て外槽２内に給水する。外槽２内の底部に溜まった洗濯水は小孔５からドラム３内に流入する。給水路１２の出口側はドラム３の後部で外槽２内と連通している。
【００２９】
外槽２内の洗濯水を排水する排水弁（排水手段）１３は、排水経路１４に設けられている。排水時は、外槽２内の洗濯水が外槽２の底部に設けた排水口１５から排水経路１４に流入し、排水弁１３を通して機外へ排出される。
【００３０】
洗濯物から分離したリントや、釦等の異物を捕集する排水フィルター１６を排水経路１４に設け、排水口１５と排水弁１３との間に配設している。排水フィルター１６と排水弁１３の間の排水経路１４に、排水経路１４から分岐して上方へ延びる放出路１７を設け、放出路１７に形成した開放部１８を開閉弁１９により開閉可能に構成している。
【００３１】
筐体１の前面には、洗濯物を出し入れする略円形状の投入口６を開閉する扉２０が設けられている。投入口６と対向する開口部１ａは、伸縮自在な可撓性のパッキン２１によって筐体１と気密にシール結合している。
【００３２】
円筒状に形成した外槽２の周側面上方の前部に乾燥用空気を供給する給気口２２を形成し、外槽２の後部にドラム３内の乾燥用空気を排気する排気口２３を設けている。給気口２２と排気口２３に風路２４の両端を連通接続し、外槽２の上方部に前後方向に配設している。
【００３３】
風路２４には、電動ファンで構成した送風機（送風手段）２５と、乾燥用空気を加熱するヒータで構成した加熱手段２６と、糸屑等のリントを捕集するリントフィルター２７を設けている。
【００３４】
送風機２５によって風路２４に送風された乾燥用空気は、加熱手段２６により加熱されて温風となり、給気口２２からドラム３内に供給されて洗濯物と接触する。洗濯物から水分を奪って排気口２３から出た乾燥用空気は、風路２４を後方から前方へ矢印イ方向へ流れ、リントフィルター２７、送風機２５、加熱手段２６の順に通過し、給気口２２からドラム３内へと循環するように構成されている。
【００３５】
排気口２３とリントフィルター２７の間の風路２４には、外槽２内に外気を取り入れる外気導入部２８が設けられている。外気導入部２８は、導入弁２９によって開閉可能に構成され、外気導入部２８が開かれたときは、導入弁２９によって風路２４の排気口２３側を閉塞し、排気口２３から風路２４にドラム３内の空気が流入するのを阻止する。外気導入部２８が閉じられたときは、風路２４を開放する。
【００３６】
リントフィルター２７は、乾燥用空気に含まれる洗濯物から発生した糸屑等のリントを捕集し、送風機２５および加熱手段２６等へのリントの付着による不具合を防止するもので、脱着可能に設けている。
【００３７】
筐体１内の上方前部に設けた制御手段３０は、モータ８、給水弁９、排水弁１３、開閉弁１９、送風機２５、加熱手段２６、導入弁２９等を制御し、洗い、すすぎ、脱水、乾燥の各工程を逐次制御する。
【００３８】
制御手段３０には、ドラム３内に投入された洗濯物の量を検知する布量検知手段３１の出力と、外槽２内に給水された洗濯水の量を検知する水位検知手段３２の出力と、ドラム３の駆動を検知する回転検知手段３３と、扉２０の開閉を検知する扉開閉検知手段３４等の出力が入力される。
【００３９】
以上のように構成された洗濯乾燥機について、以下その動作、作用を説明する。洗濯は、洗剤を溶解させた洗濯水を外槽２内に給水し、ドラム３の回転によって叩き洗いを行いながら洗濯物の汚れを除去する洗い工程に続いて、中間脱水工程、すすぎ工程１、すすぎ工程２、最終脱水工程（脱水工程）、乾燥工程、排水フィルター乾燥工程の順に逐次実行される。
【００４０】
まず、筐体１の前面に設けた開閉自在な扉２０を開いて投入口６からドラム３内に洗濯物を投入し、筐体１の前面上部に設けた操作表示部３５の電源スイッチ（図示せず）を入れ、スタートスイッチ（図示せず）を操作して運転を開始する。
【００４１】
運転の開始により洗い工程が実行される。最初にドラム３内に投入された洗濯物の量を布量検知手段３１によって検知する。洗濯物の量は、ドラム３を回転駆動し、ドラム３の回転時にモータ８にかかるトルク量や、モータ８の電流値等から検知することができる。
【００４２】
制御手段３０は、検知した洗濯物の量に応じて、洗い、すすぎ、脱水、乾燥等の各工程の時間を設定するとともに、洗濯物の量に応じて設定された洗剤量を操作表示部３５に表示し、使用者は、操作表示部３５に表示された洗剤量の目安にしたがって洗剤を洗剤ケース１１に投入する。
【００４３】
洗い工程における給水は、開かれた給水弁９から給水配管１０を通って洗剤ケース１１に入った洗濯水は、洗剤ケース１１の中の洗剤を溶かしながら給水路１２を経て外槽２内に供給される。外槽２内の底部に溜まった洗濯水は、小孔５からドラム３内に流入する。このとき、開閉弁１９は、排水経路１４から分岐した放出路１７を閉じるように切り替えられており、排水弁１３は閉じられている。
【００４４】
外槽２内に溜まった洗濯水は、水位検知手段３２で検知され、洗濯物の量に応じて予め設定された所定量の洗濯水が給水されると給水弁９が閉じられる。ドラム３は、モータ８によってドラム３内の洗濯物が叩き洗いされる回転数、例えば、４５ｒｐｍで所定時間毎に交互に正逆回転駆動し、洗い工程を実行する。
【００４５】
叩き洗いは、洗濯物がバッフル４によってドラム３の回転方向へ持ち上げられた後、ドラム３内の上部から落下し、ドラム３の底面あるいはドラム３の底部に留まっている洗濯物に叩きつけられることにより、洗剤による化学力と併せて、その機械力によって洗浄が行われる。
【００４６】
洗い工程が終了すると外槽２内の洗濯水が排水される。洗濯水は、外槽２の底部に設けた排水口１５から排水経路１４へ流出し、排水フィルター１６を通過して開かれた排水弁１３を通って機外へ排出される。排水フィルター１６の通過時に、洗濯水に含まれるリントや異物が捕集される。
【００４７】
次に、中間脱水工程へと移行し、すすぎ工程１、すすぎ工程２、最終脱水工程の順に実行される。洗濯が終了すると、続いて乾燥工程が実行される。乾燥工程は、送風機２５を駆動するとともに加熱手段２６に通電し、所定の温度に加熱された温風が給気口２２からドラム３内に送風される。
【００４８】
ドラム３内で撹拌されている洗濯物と接触して洗濯物から水分を奪って排気口２３から風路２４に出た乾燥用空気は、風路２４を後方から前方へ矢印イ方向へ流れ、リントフィルター２７、送風機２５、加熱手段２６の順に通過し、給気口２２からドラム３内へと循環して洗濯物の乾燥が進行する。
【００４９】
乾燥の終了により扉２０を開くと、扉開閉検知手段３４により扉２０が開かれたことを検知する。投入口６からドラム３内の洗濯物を取り出した後、扉２０を閉じると扉開閉検知手段３４により扉２０が閉じられたことを検知する。
【００５０】
制御手段３０は、乾燥工程終了後、扉開閉検知手段３４により扉２０が開かれたことを検知した後、再び扉２０が閉じられたことを検知することによって、洗濯物が取り出されたことを検知する。
【００５１】
扉開閉検知手段３４によってドラム３内から洗濯物が取り出されたことを検知すると排水フィルター乾燥工程が実行される。扉２０が閉じられたことを検知すると、導入弁２９により外気導入部２８を開くとともに風路２４の排気口２３側を閉塞し、開閉弁１９を開いて開放部１８を開放して送風機２５を駆動する。排水フィルター乾燥工程は、ドラム３内に洗濯物がない状態で実行することができる。
【００５２】
送風機２５の駆動により、外気導入部２８から風路２４に導入された外気が、給気口２２から外槽２およびドラム３を経て排水口１５から排水経路１４に流入し、排水フィルター１６を通過して放出路１７を通って開放部１８から流出する。排水フィルター１６乾燥時の風量は、乾燥工程時の風量より少なくなるようにしている。
【００５３】
乾燥工程後の外槽２およびドラム３は余熱を有するため、導入された外気が暖められて排水フィルター１６を通過させることができる。なお、周囲温度が低い場合は、外気導入部２８から導入される外気が低温のため、加熱手段２６に通電し、所定の温度（例えば、５０℃）に加熱した温風を送風すると排水フィルター１６を効果的に乾燥することができる。
【００５４】
排水フィルター乾燥工程は、タイマー手段３６により予め設定された所定時間が経過すると運転を停止する。タイマー手段３６は、ドラム３内から洗濯物が取り出され、扉２０が閉じられたことを検知してから計時を開始する。所定時間は、排水経路１４に設けられた排水フィルター１６を乾燥させるために必要な時間であり、例えば２０分程度である。
【００５５】
これによって、乾燥工程中に乾燥用空気が流入することがなく、運転終了後も濡れた状態であった排水経路１４に送風することができるようになり、常時濡れた状態で放置されることがなく、排水フィルター１６および排水経路１４を乾燥させることができる。
【００５６】
排水フィルター１６で捕集したリントや汚れ物質を乾燥させることで、リントや汚れ物質を生息場所やエサ物質とする菌やカビ等の生育を抑制することができるとともに、菌やカビの生育にともなって発生する代謝物（臭気）の発生も抑制することができる。
【００５７】
扉開閉検知手段３４は、ドラム３内からの洗濯物の取り出しを検知するもので、設定された運転コースが終了した時点で排水フィルター乾燥工程を開始する待機状態にすることが可能であり、予約運転の際に便利である。
【００５８】
また、使用後に扉２０が閉じられた状態でも、排水フィルター１６と連通する外槽２およびドラム３内に不快臭がこもるのを防ぐことができる。
【００５９】
なお、開放部１８を溢水口（図示せず）より上方に配設すれば、洗濯時に外槽２内の洗濯水の水位が上昇した場合でも、開放部１８から流出することがなく、開閉弁１９を不要にすることができる。
【００６０】
また、排水フィルター乾燥工程は、洗濯後乾燥せずに運転を終了する場合においても、脱水工程後に実行することができる。
【００６１】
以上のように、本実施の形態においては、外槽２内に回転可能に設けた内槽３と、内槽３を回転駆動するモータ８と、外槽２内に洗濯水を給水する給水手段９と、外槽２内の洗濯水を排水する排水経路１４に設けた排水手段１３と、排水経路１４に設けた排水フィルター１６と、外槽２に設けた乾燥用空気の給気口２２および排気口２３に連通接続した風路２４と、風路２４に設けた加熱手段２６と、風路２４を通して内槽３内に送風する送風手段２５と、外槽２内に外気を取り入れる外気導入部２８と、排水フィルター１６の下流側で排水経路１４から分岐して設けた開放部１８と、洗い、すすぎ、脱水、乾燥の各工程を逐次制御する制御手段３０とを備え、制御手段３０は、排水フィルター１６を乾燥させる排水フィルター乾燥工程において、送風手段２５を駆動し、外気導入部２８から外槽２内に導入した外気を開放部１８から放出可能に構成したものであり、運転終了後、洗濯水の排水等で濡れた排水フィルター１６を乾いた状態にすることができ、不快臭の発生を抑制することができる。
【００６２】
また、制御手段３０は、排水フィルター１６乾燥時の風量を、乾燥工程時の風量より少なくなるようにしたものであり、少ない電力消費量で排水フィルター１６を乾燥させることができる。
【００６３】
また、制御手段３０は、脱水工程後に排水フィルター乾燥工程を実行するようにしたものであり、脱水工程では、洗濯物から分離した水分が内槽３および外槽２から排水経路１４を通して機外へ排出される。洗濯物の脱水の進行にともなって水は排水経路１４を流れなくなり、排水フィルター１６を効率よく乾燥させることができるとともに、乾燥工程を実行せずに運転を終了した場合においても、内槽３、外槽２および排水フィルター１６を乾いた状態にすることができる。
【００６４】
また、制御手段３０は、乾燥工程後に排水フィルター乾燥工程を実行するようにしたものであり、乾燥工程で温められた外槽２および内槽３の余熱によって排水フィルター１６を効率よく乾燥させることができる。また、ヒートポンプ装置３７を用いた場合は、乾燥運転によって洗濯物から水分を奪って湿った空気を凝縮器３９で冷却除湿し、結露した除湿水を排水口１５から排出する。洗濯物の乾燥の進行にともない除湿水が排水フィルター１６を通して排水経路１４を流れなくなってから、排水フィルター１６を効率よく乾燥させることができる。
【００６５】
また、内槽３内の洗濯物の取り出しを検知する扉開閉検知手段３４を設け、制御手段３０は、扉開閉検知手段３４により洗濯物が取り出されたことを検知してから排水フィルター乾燥工程を実行するようにしたものであり、脱水工程または乾燥工程の終了後、内槽３内の洗濯物が取り出された後に、排水フィルター乾燥工程が実行されるようにすることができ、排水フィルター１６が濡れた状態で放置される時間を短くして迅速に乾燥させることができる。
【００６６】
（実施の形態２）
図５は、本発明の第２の実施の形態における洗濯乾燥機の排水フィルター部の拡大図である。本実施の形態の特徴は、開放部１８に向かって排水経路１４を通過する空気が排水フィルター１６の捕集面１６ａに沿って流れるように構成したものである。他の構成は実施の形態１と同じであり、同一の構成に同一の符号を付して、詳細な説明は実施の形態１のものを援用する。
【００６７】
図５において、排水口１５と排水弁１３の間の排水経路１４に排水フィルター１６を設け、排水経路１４から分岐した開放部１８に通じる放出路１７を排水フィルター１６の下流側に連通接続している。外槽２内の洗濯水は、排水口１５から排水経路１４に流入し、矢印ロのように排水フィルター１６の捕集面１６ａを横切るように通過して開かれた排水弁１３から機外へ排出される。
【００６８】
排水フィルター乾燥工程において、排水口１５から排水経路１４に流入した空気は、矢印ハのように排水フィルター１６の捕集面１６ａに沿って流れ、放出路１７を通り開かれた開閉弁１９を経て開放部１８から排出される。排水フィルター１６に糸屑等のリントや異物が捕集され、捕集面１６ａの通風抵抗が大きくなっている場合でも、捕集面１６ａに沿った気流によって円滑に排気することができる。
【００６９】
以上のように、本実施の形態においては、排水フィルター１６は、開放部１８に向かって排水経路１４を通過する空気が排水フィルター１６の捕集面１６ａに沿って流れるように構成したものであり、排水経路１４を通過する空気が排水フィルター１６の捕集面１６ａを横切ることなく開放部１８から放出させることができ、捕集面１６ａにリントが捕集された状態でも通風抵抗が増加することなく、風量を確保することができる。
【００７０】
（実施の形態３）
図６は、本発明の第３の実施の形態における洗濯乾燥機の概略構成図、図７は、同洗濯乾燥機の排水フィルター乾燥時の概略構成図である。本実施の形態の特徴は、加熱手段２６をヒートポンプ装置３７の凝縮器３９で構成したものである。他の構成は実施の形態１と同じであり、同一の構成に同一の符号を付して、詳細な説明は実施の形態１のものを援用する。
【００７１】
図６および図７において、ヒートポンプ装置３７は、圧縮機３８と、凝縮器３９と、絞り手段４０と、蒸発器４１を冷媒が循環するように管路４２で連結している。圧縮機３８で圧縮された高温高圧の冷媒の熱が凝縮器３９で放熱され、凝縮器３９を出た高圧の冷媒が絞り手段４０で減圧されて低温低圧となり、蒸発器４１で乾燥用空気から熱を奪い圧縮機３８に戻る。凝縮器３９および蒸発器４１は風路２４に配設している。
【００７２】
乾燥工程は、送風機２５および圧縮機３８を駆動する。ドラム３内で撹拌されている洗濯物と接触して洗濯物から水分を奪って排気口２３から風路２４に出た乾燥用空気は、風路２４を後方から前方へ矢印イ方向へ流れ、リントフィルター２７、蒸発器４１、凝縮器３９、送風機２５の順に通過する。
【００７３】
洗濯物から水分を奪って湿った空気は、蒸発器４１を通過して冷却除湿され、乾いた低温の空気となって凝縮器３９を通過する。凝縮器３９で加熱され乾いた温風となって給気口２２からドラム３内へと循環して洗濯物の乾燥が進行する。
【００７４】
排水弁１３は、蒸発器４１で結露した除湿水を排水経路１４を通して排出するために開かれているが、乾燥用空気は、風路２４を矢印イ方向へ送風されるため、排気口２３側が負圧となって排気口２３から風路２４内に流入し、排水口１５から排水経路１４へ流入しない。
【００７５】
運転終了後、すなわち、乾燥工程または脱水工程が終わり、扉開閉検知手段３４によってドラム３内から洗濯物が取り出されたことを検知すると排水フィルター乾燥工程が実行される。
【００７６】
扉２０を開いて洗濯物を取出し、再び扉２０が閉じられたことを検知すると、導入弁２９により外気導入部２８を開くとともに、風路２４の排気口２３側を閉塞し、開閉弁１９を開いて開放部１８を開放して送風機２５および圧縮機３８を駆動する。
【００７７】
送風機２５の駆動により、外気導入部２８から風路２４に導入された外気が凝縮器３９を通過して加熱され、温風となって給気口２２から外槽２およびドラム３を経て排水口１５から排水経路１４に流入し、排水フィルター１６を通過して放出路１７を通って開放部１８から流出する。排水フィルター１６乾燥時の風量は、乾燥工程時の風量より少なくなるようにしている。
【００７８】
以上のように、本実施の形態においては、加熱手段２６をヒートポンプ装置３７の凝縮器３９で構成し、排水フィルター１６を乾燥させる排水フィルター乾燥工程において、加熱手段（ヒートポンプ装置３７）を作動させ、排水フィルター１６に温風を送風するようにしたものであり、ヒートポンプ装置３７を具備した洗濯乾燥機において、排水フィルター１６の乾燥に新たな加熱手段を設けることなく、排水フィルター１６を効果的に乾燥させることができる。
【００７９】
（実施の形態４）
図８は、本発明の第４の実施の形態における洗濯乾燥機の概略構成図である。本実施の形態の特徴は、温水用ヒータ４３に通電して排水フィルター１６に温風を送風するようにしたものである。他の構成は実施の形態１と同じであり、同一の構成に同一の符号を付して、詳細な説明は実施の形態１のものを援用する。
【００８０】
図８において、外槽２内の底部に温水用ヒータ４３を設けている。洗濯物の汚れは、水温が低いと落ち難く、寒冷期等水温の低いときに洗濯水を所定の温度、例えば４０℃に加熱する温水用ヒータ４３を設けることが考えられている。
【００８１】
本実施の形態においては、外槽２内の底部に洗濯水を加熱する温水用ヒータ４３を設け、排水フィルター１６を乾燥させる排水フィルター乾燥工程において、温水用ヒータ４３に通電し、排水フィルター１６に温風を送風するようにしたものであり、温水用ヒータ４３を具備した洗濯乾燥機において、排水フィルター１６の乾燥に新たな加熱手段を設けることなく、排水フィルター１６を効果的に乾燥させることができる。また、排水フィルター１６に送風する温風を排水口１５の近傍に配設されている温水用ヒータ４３で加熱することにより、温風が排水口１５に到達するまでの放熱ロスをなくすことができ、高温の温風で効率よく乾燥させることができる。
【００８２】
なお、本発明は、必要に応じて各々の実施の形態の少なくとも一部を適宜組み合わせて実施することができる。
【産業上の利用可能性】
【００８３】
以上のように、本発明にかかる洗濯乾燥機は、運転終了後、排水フィルターを乾いた状態にすることができ、不快臭の発生を抑制することができるので、洗濯乾燥機として有用である。
【符号の説明】
【００８４】
２    外槽
３    ドラム（内槽）
８    モータ
９    給水弁（給水手段）
１３    排水弁（排水手段）
１４    排水経路
１６    排水フィルター
１８    開放部
２２    給気口
２３    排気口
２４    風路
２５    送風機（送風手段）
２６    ヒータ（加熱手段）
２８    外気導入部
３０    制御手段
【図１】
0006347045.tif 000002
【図２】
0006347045.tif 000003
【図３】
0006347045.tif 000004
【図４】
0006347045.tif 000005
【図５】
0006347045.tif 000006
【図６】
0006347045.tif 000007
【図７】
0006347045.tif 000008
【図８】
0006347045.tif 000009